(57)【要約】      （修正有）【課題】利便性の向上が図られる情報書込装置並びにそれを用いた情報提供システム及び情報提供方法を提供する。【解決手段】情報提供システム１００は、展示会の各来場者５２に個別に付与されるＩＣカード３０と、展示会の各ブース５１に設置されると共にＩＣカード３０が宛がわれる磁界通信部を有した情報書込装置１０と、を備えている。情報書込装置１０は、磁界通信部に宛がわれたＩＣカード３０に、出展者が提供する製品情報を来場者５２が受け取るためのＵＲＬを書き込む。【選択図】図１
2015138502.tif 000002
【特許請求の範囲】
【請求項１】
展示会の各ブース（５１）に設置される情報書込装置（１０）であって、
前記展示会の各来場者（５２）に個別に付与されるＩＣカード（３０）を宛がうことが可能な磁界通信部（２９）と、
前記磁界通信部（２９）に宛がわれた前記ＩＣカード（３０）に、前記ブース（５１）の出展者（５４）が提供する製品カタログ、会社案内その他の提供対象を受け取るためのＵＲＬを書き込む書込手段（１２）と、を備えたことを特徴とする情報書込装置（１０）。
【請求項２】
複数種類の前記提供対象のうち任意の前記提供対象を前記来場者（５４）に選択させる提供対象選択手段（１１）を備え、
前記書込手段（１２）は、前記提供対象選択手段（１１）にて選択された前記提供対象に対応した前記ＵＲＬを書き込むことを特徴とする請求項１に記載の情報書込装置（１０）。
【請求項３】
前記磁界通信部（２９）に前記ＩＣカード（３０）が宛がわれたときに、前記ＩＣカード（３０）に事前に記録されている前記来場者（５２）の名刺情報を読み取る読取手段（１２）と、
前記読取手段（１２）にて読み取った前記名刺情報を前記出展者（５４）の訪問者データベース（５４Ｄ）に登録する訪問者情報登録手段（１５）と、を備えたことを特徴とする請求項１又は２に記載の情報書込装置（１０）。
【請求項４】
前記書込手段（１２）及び前記読取手段（１２）としてのリーダライタ（１２）を搭載すると共に、そのリーダライタ（１２）のアンテナ部（１３）を裏面に備えたタブレット型端末（１１）と、
前記タブレット型端末（１１）が重ねて固定される端末固定部（２３）を表側面（２１Ａ）の一部に備えたベース盤（２１）と、
前記ベース盤（２１）の表側面（２１Ａ）のうち前記端末固定部（２３）とその側方位置とに跨って敷設されると共に、前記アンテナ部（１３）に一部が宛われた状態で前記タブレット型端末（１１）の側方に張り出して、その張り出し部分にて前記磁界通信部（２９）を形成し、その磁界通信部（２９）に前記ＩＣカード（３０）が宛がわれたときに、前記ＩＣカード（３０）と前記リーダライタ（１２）との間を磁界通信可能に電磁結合する中継コイル（２６）と、で構成されたことを特徴とする請求項３に記載の情報書込装置（１０）。
【請求項５】
展示会の各ブース（５１）を訪れる来場者（５２）にそのブース（５１）の出展者（５４）の製品カタログ、会社案内その他の提供対象を提供する情報提供システム（１００）において、
各前記来場者（５２）に個別に付与されると共に、その来場者（５２）の名刺情報が記録されるＩＣカード（３０）と、
前記ブース（５１）に設置される請求項１乃至４のうち何れか１の請求項に記載の情報書込装置（１０）と、
前記情報書込装置（１０）が前記ＩＣカード（３０）に書き込む前記ＵＲＬを介して、前記来場者（５２）に前記提供対象を提供する前記出展者（５４）のサーバ（５４Ｓ）と、を備えたことを特徴とする情報提供システム（１００）。
【請求項６】
前記情報書込装置（１０）には、
表示部（１１Ｇ）と、
前記展示会の会場内地図データと、その会場における各前記ブース（５１）の位置データとを記憶した位置データ記憶手段（１６）と、
前記来場者（５２）に、訪問予定のブース（５１）を選択させるブース選択手段（１１）と、
前記ブース選択手段（１１）にて選択された前記訪問予定のブース（５１）とその訪問予定のブース（５１）の前記位置情報とに基づいて、前記訪問予定のブース（５１）を回る最短経路（８３Ａ）を求めて前記表示部（１１Ｇ）に表示させる最短経路表示手段（１１）と、を備えたことを特徴とする請求項５に記載の情報提供システム（１００）。
【請求項７】
展示会の各ブース（５１）を訪れる来場者（５２）にそのブース（５１）の出展者（５４）の製品カタログ、会社案内その他の提供対象を提供する情報提供方法において、
前記展示会の主催者（５３）の端末（５３Ｓ，５５）が、各前記来場者（５２）の名刺情報を受け取って前記主催者（５３）の来場者データベース（５３Ｄ）に登録すると共に、各前記来場者（５２）に個別に付与されるＩＣカード（３０）に前記名刺情報を記録するステップと、
前記ブース（５１）に設置された請求項３又は４に記載の情報書込装置（１０）が、前記磁界通信部（２９）に宛がわれた前記ＩＣカード（３０）に前記ＵＲＬを書き込むと共に、前記名刺情報を読み込んで前記訪問者データベース（５４Ｄ）に登録するステップと、
前記出展者（５４）のサーバ（５４Ｓ）が、前記ＵＲＬを介して前記来場者（５２）に前記提供対象を提供するステップと、を備えたことを特徴とする情報提供方法。
【発明の詳細な説明】
【技術分野】
【０００１】
本発明は、展示会のブースに設置される情報書込装置並びにそれを用いた情報提供システム及び情報提供方法に関する。
【背景技術】
【０００２】
従来、この種の情報提供方法として、出展者が提供する製品カタログや会社案内といった資料を来場者が希望する場合に、来場者が出展者に名刺情報を渡し、後日、出展者が名刺情報に記載された住所に資料を発送するものが知られている（例えば、特許文献１参照）。
【先行技術文献】
【特許文献】
【０００３】
【特許文献１】特開２０００−２８５２６９号公報（段落［００１３］）
【発明の概要】
【発明が解決しようとする課題】
【０００４】
しかしながら、上述した従来の情報提供方法では、出展者にとって、資料の送付に手間がかかるという問題があった。また、来場者にとっても、資料を受け取るタイミングが出展者の都合によってばらつくため、利便性に欠けるという問題があった。また、資料が紙で配布される場合には、資源利用や廃棄処分や運搬という点からも問題となってきている。このように、従来の情報提供方法では、出展者及び来場者の両方にとって、利便性に欠けるという問題があった。
【０００５】
本発明は、上記事情に鑑みてなされたものであり、利便性の向上が図られる情報書込装置並びにそれを用いた情報提供システム及び情報提供方法の提供を目的とする。
【課題を解決するための手段】
【０００６】
上記目的を達成するためになされた請求項１の発明に係る情報書込装置（１０）は、展示会の各ブース（５１）に設置される情報書込装置（１０）であって、展示会の各来場者（５２）に個別に付与されるＩＣカード（３０）を宛がうことが可能な磁界通信部（２９）と、磁界通信部（２９）に宛がわれたＩＣカード（３０）に、ブース（５１）の出展者（５４）が提供する製品カタログ、会社案内その他の提供対象を受け取るためのＵＲＬを書き込む書込手段（１２）と、を備えたところに特徴を有する。
【０００７】
なお、ＵＲＬとは、「Ｕｎｉｆｏｒｍ  Ｒｅｓｏｕｒｃｅ  Ｌｏｃａｔｏｒ」の略で、インターネット上に存在する情報資源の場所を示す記述方式のことであり、インターネットにおける情報の「住所」に相当する。
【０００８】
請求項２の発明は、請求項１に記載の情報書込装置（１０）において、複数種類の提供対象のうち任意の提供対象を来場者（５２）に選択させる提供対象選択手段（１１）を備え、書込手段（１２）は、提供対象選択手段（１１）にて選択された提供対象に対応したところに特徴を有する。
【０００９】
請求項３の発明は、請求項１又は２に記載の情報書込装置（１０）において、磁界通信部（２９）にＩＣカード（３０）が宛がわれたときに、ＩＣカード（３０）に事前に記録されている来場者（５２）の名刺情報を読み取る読取手段（１２）と、読取手段（１２）にて読み取った名刺情報を出展者（５４）の訪問者データベース（５４Ｄ）に登録する訪問者情報登録手段（１５）と、を備えたところに特徴を有する。
【００１０】
請求項４の発明は、請求項３に記載の情報書込装置（１０）において、書込手段（１２）及び読取手段（１２）としてのリーダライタ（１２）を搭載すると共に、そのリーダライタ（１２）のアンテナ部（１３）を裏面に備えたタブレット型端末（１１）と、タブレット型端末（１１）が重ねて固定される端末固定部（２３）を表側面（２１Ａ）の一部に備えたベース盤（２１）と、ベース盤（２１）の表側面（２１Ａ）のうち端末固定部（２３）とその側方位置とに跨って敷設されると共に、アンテナ部（１３）に一部が宛われた状態でタブレット型端末（１１）の側方に張り出して、その張り出し部分にて磁界通信部（２９）を形成し、その磁界通信部（２９）にＩＣカード（３０）が宛がわれたときに、ＩＣカード（３０）とリーダライタ（１２）との間を磁界通信可能に電磁結合する中継コイル（２６）と、で構成されたところに特徴を有する。
【００１１】
請求項５の発明に係る情報提供システム（１００）は、展示会の各ブース（５１）を訪れる来場者（５２）にそのブース（５１）の出展者（５４）の製品カタログ、会社案内その他の提供対象を提供する情報提供システム（１００）において、各来場者（５２）に個別に付与されると共に、その来場者（５２）の名刺情報が記録されるＩＣカード（３０）と、ブース（５１）に設置される請求項１乃至４のうち何れか１の請求項に記載の情報書込装置（１０）と、情報書込装置（１０）がＩＣカード（３０）に書き込むＵＲＬを介して、来場者（５２）に提供対象を提供する出展者（５４）のサーバ（５４Ｓ）と、を備えたところに特徴を有する。
【００１２】
請求項６の発明は、請求項５に記載の情報提供システム（１００）において、情報書込装置（１０）には、表示部（１１Ｇ）と、展示会の会場内地図データと、その会場における各ブース（５１）の位置データとを記憶した位置データ記憶手段（１６）と、来場者（５２）に、訪問予定のブース（５１）を選択させるブース選択手段（１１）と、ブース選択手段（１１）にて選択された訪問予定のブース（５１）とその訪問予定のブース（５１）の位置情報とに基づいて、訪問予定のブース（５１）を回る最短経路（８３Ａ）を求めて表示部（１１Ｇ）に表示させる最短経路表示手段（１１）と、を備えたところに特徴を有する。
【００１３】
請求項７の発明に係る情報提供方法は、展示会の各ブース（５１）を訪れる来場者（５２）にそのブース（５１）の出展者（５４）の製品カタログ、会社案内その他の提供対象を提供する情報提供方法において、展示会の主催者（５３）の端末（５３Ｓ，５５）が、各来場者（５２）の名刺情報を受け取って主催者（５３）の来場者データベース（５３Ｄ）に登録すると共に、各来場者（５２）に個別に付与されるＩＣカード（３０）に名刺情報を記録するステップと、ブース（５１）に設置された請求項３又は４に記載の情報書込装置（１０）が、磁界通信部（２９）に宛がわれたＩＣカード（３０）にＵＲＬを書き込むと共に、名刺情報を読み込んで訪問者データベース（５４Ｄ）に登録するステップと、出展者（５４）のサーバ（５４Ｓ）が、ＵＲＬを介して来場者（５２）に提供対象を提供するステップと、を備えたところに特徴を有する。
【発明の効果】
【００１４】
［請求項１，５の発明］
請求項１，５の発明によれば、ブース（５１）を訪れた来場者（５２）は、出展者（５４）が提供する製品カタログ、会社案内その他の提供対象を希望する場合、そのブース（５１）に設置された情報書込装置（１０）の磁界通信部（２９）にＩＣカード（３０）を宛がえばよい。すると、そのＩＣカード（３０）に、提供対象を受け取るためのＵＲＬが書き込まれ、来場者（５２）は、そのＵＲＬにアクセスすることで提供対象の受け取りが可能となる。このように、本発明によれば、出展者（５４）が各来場者（５２）に提供対象を送付する手間を省くことが可能となる。また、来場者（５２）は、ＩＣカード（３０）に書き込まれたＵＲＬにアクセスすれば提供対象を受け取れることができるので、来場者（５２）が提供対象を受け取るタイミングが出展者（５４）の都合に左右され難くなる。即ち、本発明によれば、出展者（５４）と来場者（５２）の両方にとって、利便性の向上が図られる。しかも、来場者（５２）にとっては、ＩＣカード（３０）のみを持ち運べばよいので、提供対象としての製品カタログや会社案内等をブース（５１）で受け取って持ち運ぶ場合と比較して、労力を省くことができる。
【００１５】
［請求項２の発明］
請求項２の発明によれば、来場者（５２）が希望する提供対象に対応したＵＲＬのみをＩＣカード（３０）に書き込むことができるので、来場者（５２）にとって提供対象の整理が容易となる。
【００１６】
［請求項３の発明］
請求項３の発明によれば、ブース（５１）を訪れた来場者（５２）の名刺情報が出展者（５４）の訪問者データベース（５４Ｄ）に登録されるので、出展者（５４）にとって自己のブース（５１）を訪れた来場者（５２）の集計や分析が容易となる。
【００１７】
［請求項４の発明］
請求項４の発明によれば、リーダライタ（１２）を搭載したタブレット型端末（１１）を用いて情報書込装置（１０）を構成することができるので、情報書込装置（１０）を特注品にする必要がなくなり、コストの低減が図られる。
【００１８】
［請求項６の発明］
請求項６の発明によれば、来場者（５２）に効率よくブース（５１）を訪問させることが可能となる。また、本発明の構成によれば、来場者（５２）が会場内で道に迷った場合にも、最寄りのブース（５１）で訪問予定のブース（５１）までの最短経路を知らせることが可能となる。
【００１９】
［請求項７の発明］
請求項７の発明の情報提供方法によれば、ブース（５１）を訪れた来場者（５２）は、ブース（５１）の出展者（５４）の製品カタログ、会社案内その他の提供対象の提供を希望する場合、そのブース（５１）に設置された情報書込装置（１０）の磁界通信部（２９）にＩＣカード（３０）を宛がえばよい。すると、そのＩＣカード（３０）に、提供対象を受け取るためのＵＲＬが書き込まれ、来場者（５２）は、そのＵＲＬにアクセスすることで提供対象の受け取りが可能となる。このように、本発明によれば、出展者（５４）が各来場者（５２）に提供対象を送付する手間を省くことが可能となる。また、来場者（５２）は、ＵＲＬにアクセスすれば提供対象を受け取れることができるので、来場者（５２）が提供対象を取得するタイミングが出展者（５４）の都合に左右され難くなる。即ち、本発明によれば、出展者（５４）と来場者（５２）の両方にとって、利便性の向上が図られる。しかも、来場者（５２）は、ＩＣカード（３０）のみを持ち運べばよいので、提供対象としての製品カタログや会社案内をブース（５１）で受け取って持ち運ぶ場合と比較して、労力を省くことができる。また、本発明では、情報書込装置（１０）が、ＩＣカード（３０）から来場者（５２）の名刺情報を読み取って出展者（５４）の訪問者データベース（５４Ｄ）に登録するので、出展者（５４）にとって、ブース（５１）を訪れた来場者（５２）の集計や分析が容易となる。さらに、本発明では、主催者（５３）の端末（５３Ｓ，５５）がＩＣカード（３０）に来場者（５２）の名刺情報を記録する際に、その名刺情報を来場者データベース（５３Ｄ）に登録するので、主催者（５３）にとっても来場者（５２）の集計や分析が容易となる。
【図面の簡単な説明】
【００２０】
【図１】本発明の一実施形態に係る情報提供システムのブロック図
【図２】情報書込装置の分解斜視図
【図３】情報書込装置の構成部品を裏側から見た斜視図
【図４】中継コイルの斜視図
【図５】情報書込装置の電気的構成を示すブロック図
【図６】ＩＣカードが付与されるまでの情報提供システムの動作の流れを示す図
【図７】来場者データベースのデータ構造の概念図
【図８】ブース受付処理のフローチャート
【図９】訪問者データベースのデータ構造の概念図
【図１０】（Ａ）メインメニュー画面を表示したタブレット型端末の正面図、（Ｂ）資料選択画面を表示したタブレット型端末の正面図
【図１１】ＵＲＬデータファイルの概念図
【図１２】出展者を中心とした情報提供システムの動作の流れを示す図
【図１３】来場者を中心とした情報提供システムの動作の流れを示す図
【図１４】取得ＵＲＬデータファイルの概念図
【図１５】（Ａ）訪問先検索メニュー画面を表示したタブレット型端末の正面図、（Ｂ）ルート表示画面を表示したタブレット型端末の正面図
【図１６】位置データファイルの概念図
【図１７】（Ａ）訪問履歴画面を表示したタブレット型端末の正面図、（Ｂ）編集データ選択画面を表示したタブレット型端末の正面図
【発明を実施するための形態】
【００２１】
以下、本発明の一実施形態を図１〜図１７に基づいて説明する。図１には、本実施形態の情報提供システム１００の全体的な構成が示されている。同図に示すように、情報提供システム１００は、展示会の主催者５３（図６参照）のサーバ５３Ｓ（以下、「主催者側サーバ５３Ｓ」という。）と、展示会会場５０に設置される主催者５３の受付用端末５５と、主催者５３から各来場者５２に個別に付与されるＩＣカード３０と、展示会会場５０の各ブース５１に設置される情報書込装置１０と、各ブース５１の出展者５４のサーバ５４Ｓ（以下、「出展者側サーバ５４Ｓ」という。）と、を備えている。
【００２２】
情報書込装置１０は、図２に示すように、タブレット型端末１１と端末載置盤２０とで構成されている。タブレット型端末１１は、ＩＣカード３０と磁界通信可能なリーダライタ１２を搭載し、タブレット型端末１１の裏面１１Ｍに設けられたリーダライタ１２のアンテナ部１３（図３参照）にＩＣカード３０が宛がわれると、リーダライタ１２とＩＣカード３０とが電磁結合して、リーダライタ１２がＩＣカード３０に対して情報を読み書き可能となる。なお、リーダライタ１２が書き込む情報及び読み取った情報は、タブレット型端末１１の表示画面１１Ｇ（本発明の「表示部」に相当する。）にて適宜確認することができる。
【００２３】
端末載置盤２０は、ベース盤２１に中継コイル２６を取り付けてなる。ベース盤２１の表側の面２１Ａ（以下、「表側面２１Ａ」と呼ぶ。）には、裏面１１Ｍを下にしたタブレット型端末１１を受容する四角形状の位置決め凹部２２が形成されている。そして、この位置決め凹部２２にタブレット型端末１１が受容されることで、タブレット型端末１１は、四方へ移動することを規制される。なお、ベース盤２１の表側面２１Ａのうち位置決め凹部２２が形成された部分が、本発明の端末固定部２３になっている。
【００２４】
ベース盤２１の表側面２１Ａのうち位置決め凹部２２の側方には、カード載置部２４が設けられている。なお、カード載置部２４或いはその近傍には、ＩＣカード３０をカード載置部２４に宛がうことを示唆するメッセージやイラスト等が表示されている。
【００２５】
図３に示すように、中継コイル２６は、四角形のシート状をなし、ベース盤２１の裏面２１Ｂに形成された取付凹部２５に固定される。取付凹部２５は、ベース盤２１の外縁部から内側へ向かって直線状に形成され、一端部がカード載置部２４の裏側に配置される共に、他端部が位置決め凹部２２に連通している。そして、タブレット型端末１１が位置決め凹部２２に受容された状態で、リーダライタ１２のアンテナ部１３が取付凹部２５に露出する。
【００２６】
図４に示すように、中継コイル２６は、第１コイル２７Ａと、第１コイル２７Ａとは別個に巻回された第２コイル２７Ｂの末端同士が接続されると共に、それら第１コイル２７Ａと第２コイル２７Ｂの法線が平行に配置された状態で、全体が樹脂シートでラミネートされた構造になっている。
【００２７】
図５に示すように、情報書込装置１０では、タブレット型端末１１のリーダライタ１２が中継コイル２６を介してＩＣカード３０と磁界通信することで、ＩＣカード３０の情報の読み込み及びＩＣカード３０への情報の書き込みが可能となっている。具体的には、図４に示すように、中継コイル２６の第１コイル２７Ａは、リーダライタ１２のアンテナコイル１２Ａと電磁結合する。また、ＩＣカード３０がカード載置部２４に宛がわれた状態では、第２コイル２９がＩＣカード３０のアンテナコイル３０Ａと電磁結合する。これらにより、リーダライタ１２とＩＣカード３０とが、中継コイル２６を介して電磁結合される。なお、本実施形態では、第２コイル２７Ｂによって本発明の磁界通信部２９が形成され、カード載置部２４にＩＣカード３０が宛がわれると、磁界通信部２９にもＩＣカード３０が宛がわれることになる。
【００２８】
なお、情報書込装置１０のうち端末載置盤２０は、主催者５３から貸し出される。また、タブレット型端末１１は、主催者５３から貸し出されてもよいし、ブース５１の出展者５４（図８参照）が所有するものを用いてもよい。なお、タブレット型端末１１には、展示会用のプログラム（例えば、ＩＣカード３０への情報の読み書きを実行させるプログラム）がインストールされるが、後者の場合には、プログラムが、主催者５３から出展者５４に配布される。
【００２９】
図６には、ＩＣカード３０が来場者５２に付与されるまでの情報提供システム１００の動作の流れが示されている。ＩＣカード３０の付与は、来場者５２による展示会への参加登録が条件となっている。この参加登録は、以下のようにして行われる。即ち、図６に示すように、来場者５２の端末５２Ａ（以下、「来場者端末５２Ａ」という。）が通信ネットワーク９０（図１参照）を介して、主催者側サーバ５３Ｓに来場者５２の名刺情報を送信する（Ｆ１１）。すると、主催者側サーバ５３Ｓが、受信した名刺情報を来場者データベース５３Ｄに登録し、来場者端末５２Ａに、来場者５２の名刺情報を二次元コードとして送信する（Ｆ１２）。来場者５２は、その二次元コードを印刷等して展示会会場５０へ持参する。
【００３０】
図７には、来場者データベース５３Ｄを構成する来場者ファイル４３の一例が示されている。来場者ファイル４３は、来場者５２毎のレコード４３Ｚ（以下、「来場者レコード３５Ｚ」という）を複数備えてなり、各来場者レコード４３Ｚのフィールド（項目）には、各来場者５２に個別に設定した「来場者ＩＤ」、来場者５２の「氏名」及び「連絡先（メールアドレス）」、来場者５２が所属する「会社名」及び「部署名」等があり、これら複数のフィールドのデータを関連付けたデータ構造になっている。このように、本実施形態では、来場者５２の名刺情報には、来場者５２の氏名、連絡先、会社名、部署名等が含まれる。なお、展示会が、学生を対象とした合同会社説明会等である場合には、会社名や部署名の代わりに、学校名や学部（専攻）が含まれる。
【００３１】
来場者５２による展示会への参加登録が終了すると、次に、展示会会場５０での入場受付が行われる。そして、この入場受付の際にＩＣカード３０が付与される。具体的には、展示会会場５０の受付に設置された主催者５３の受付用端末５５が、その受付用端末５５に接続された二次元コードリーダ５５Ａ（図１参照）を介して上記二次元コードを読み取る（Ｆ１３）と共に、受付用端末５５に搭載又は接続されたＩＣカードライタ５５Ｂ（図１参照）を介してＩＣカード３０に来場者５２の名刺情報を記録して、名刺情報が記録された後のＩＣカード３０が来場者５２に付与される（Ｆ１４）。
【００３２】
このように、本実施形態の情報提供システム１００では、来場者５２にＩＣカード３０を付与する際に、来場者５２の名刺情報が主催者５３の来場者データベース５３Ｄに登録されるので、主催者５３にとって、来場者５２の集計や分析が容易となる。なお、本実施形態では、主催者側サーバ５３Ｓと受付用端末５５とが、本発明の「主催者の端末」に相当する。
【００３３】
さて、本実施形態の情報提供システム１００では、情報提供装置１０の磁界通信部２９（カード載置部２４、図２参照）にＩＣカード３０が宛がわれると、タブレット型端末１１の制御基板１５（図５参照）が図８に示すブース受付処理（Ｓ１０）を実行する。このブース受付処理（Ｓ１０）では、まず、ＩＣカード３０に記録されている来場者５２の名刺情報を読み取って、出展者５４の訪問者データベース５４Ｄに登録する（Ｓ１１）。詳細には、タブレット型端末１１は、出展者側サーバ５４Ｓに名刺情報を送信し、出展者側サーバ５４Ｓは、受信した名刺情報を訪問者データベース５４Ｄに登録する。即ち、タブレット型端末１１の送信によって訪問者データベース５４Ｄへの登録が行われている、と言うことができ、ステップＳ１１を実行しているときの制御基板１５が本発明の「訪問者情報登録手段」に相当する。
【００３４】
図９には、訪問者データベース５４Ｄを構成する訪問者ファイル４４の一例が示されている。訪問者ファイル４４は、図７に示した来場者ファイル４３とよく似たデータ構造となっていて、ブースを訪れた来場者５２毎のレコード４４Ｚ（以下、「訪問者レコード３５Ｚ」という）を複数備えてなり、各訪問者レコード４４Ｚのフィールド（項目）には、来場者５２の「来場者ＩＤ」、「氏名」、「連絡先（メールアドレス）」、「会社名」及び「部署名」等があり、これら複数のフィールドのデータを関連付けたデータ構造になっている。なお、訪問者レコード４４Ｚは、来場者５２の「請求資料Ｎｏ」のフィールドを備えている点で、来場者レコード４３Ｚ（図７参照）とは異なっている。この「請求資料Ｎｏ」については、後で説明する。
【００３５】
訪問者データベース５４Ｄへの登録が終了すると、次いで、ＩＣカード３０に訪問履歴を書き込む処理（Ｓ１２）が実行される。この訪問履歴には、出展者５４の企業名や訪問日時といった情報が含まれる（図１７（Ａ）参照）。
【００３６】
次いで、タブレット型端末１１の表示画面１１Ｇにメインメニュー画面Ｇ１（図１０（Ａ）参照）を表示させる処理（Ｓ１３）を実行して、ブース受付処理（Ｓ１０）を終了する。
【００３７】
図１０（Ａ）に示すように、メインメニュー画面Ｇ１では、製品資料請求ボタン６１、アンケート回答ボタン６２、イベント告知ボタン６３、訪問先検索ボタン６４、訪問履歴表示ボタン６５、問い合わせボタン６６、データ編集ボタン６７等の各種メニューボタンが並べて表示される。
【００３８】
メインメニュー画面Ｇ１において、製品資料請求ボタン６１が選択されると、制御基板１５は、図１０（Ｂ）に示す資料選択画面Ｇ２を表示画面１１Ｇに表示させる。
【００３９】
資料選択画面Ｇ２では、製品資料毎に設定した資料Ｎｏ、製品資料が対象とする製品の製品名（図１０（Ｂ）における「○○○」、「△△△」等）といった製品資料に関する表示と、チェックボックス７１とが対をなして表示されている。図１０（Ｂ）の例では、複数種類の製品資料が表示され、チェックボックス７１は、各製品資料に対応して表示されている。また、資料選択画面Ｇ２の下端部には、「決定」と表示された決定ボタン７２と、「戻る」と表示された前画面復帰ボタン７３とが表示されている。
【００４０】
資料選択画面Ｇ２において、製品資料が選択されると、その製品資料に対応したチェックボックス７１がチェックされる。なお、選択状態の製品資料を再度選択すると、その製品資料に対向したチェックボックス７１のチェックが外れ、製品資料の選択が解除される。
【００４１】
資料選択画面Ｇ２において、何れかの製品資料が選択された状態（即ち、何れかのチェックボックス７１がチェックされた状態）で決定ボタン７２がオンされると、情報書込装置１０（タブレット型端末１１のリーダライタ１２）は、ＩＣカード３０に、選択された製品資料を来場者５２が受け取るためのサイトのＵＲＬ（以下、このサイトを「受取サイト」といい、そのＵＲＬを「受取サイトＵＲＬ」という。）を書き込む。
【００４２】
具体的には、タブレット型端末１１の制御基板１５のメモリ１６（図５参照）には、図１１に示す製品資料ファイル４５が記憶されている。製品資料ファイル４５は、製品資料毎のレコード４５Ｚ（以下、「製品資料レコード４５Ｚ」という）を複数備えてなり、図１１に示すように、各製品資料レコード４５Ｚのフィールド（項目）には、製品資料が対象とする製品の「製品名」、各製品資料に個別に設定した「製品資料Ｎｏ」、「受取サイトＵＲＬ」、出展者５４の「企業名」及び「企業ＩＤ」等があり、これら複数のフィールドのデータを関連付けたデータ構造になっている。
【００４３】
そして、資料選択画面Ｇ２で製品資料が選択された状態で決定ボタンがオンされると、制御基板１５は、リーダライタ１２を介して、選択された製品資料の「製品資料Ｎｏ」、「製品名」、「受取サイトＵＲＬ」、「企業名」、「企業ＩＤ」等を、ＩＣカード３０に書き込む。このとき、制御基板１５は、そのＩＣカード３０の持ち主に対応する訪問者レコード４４Ｚのフィールド「請求資料Ｎｏ」に、選択された製品資料の「製品資料Ｎｏ」或いはそれに対応した番号を記録する処理を行う。
【００４４】
なお、本実施形態では、製品資料が本発明の「提供対象」に相当し、資料選択画面Ｇ２を表示しているときのタブレット型端末１１が本発明の「提供対象選択手段」に相当する。
【００４５】
図１０（Ａ）に示したメインメニュー画面Ｇ１において、アンケート回答ボタン６２が選択されると、制御基板１５は、アンケート画面（図示せず）を表示画面１１Ｇに表示させる。アンケート画面は、例えば、ブース５１の展示内容に関する質問が表示され、その質問に対する回答を複数の肢から来場者５２に選択させるようになっている。また、メインメニュー画面Ｇ１において、イベント告知ボタン６３が選択されると、制御基板１５は、出展者５４が展示会で行うイベントスケジュールを表示画面１１Ｇに表示させる。
【００４６】
また、メインメニュー画面Ｇ１において、訪問先検索ボタン６４が選択されると、制御基板１５は、図１５（Ａ）に示す訪問先検索画面Ｇ３を表示画面１１Ｇに表示させる。同図の例では、訪問先検索画面Ｇ３は、企業別検索ボタン７６と製品別検索ボタン７７とを備えた構成になっている。そして、企業別検索ボタン７６が選択されると、訪問先検索画面Ｇ３には、出展者５４のリストが表示され、そのリストから一の出展者５４を来場者５２に選択させるようになっている。また、製品別検索ボタン７７が選択されると、訪問先検索画面Ｇ３には、製品リストが表示され、さらに、その製品リストから一の製品を選択すると、その製品を扱っている出展者５４のリストが表示される。そして、その出展者５４のリストから一の出展者５４を来場者５２に選択させるようになっている。
【００４７】
訪問先検索画面Ｇ３で一の出展者５４が選択された状態で、その画面Ｇ３の下端部において「ルート表示」と表示されたルート表示ボタン７８がオンされると、制御基板１５は、図１５（Ｂ）に示すように、会場内地図８０において現在地８１から選択された出展者５４のブース８２Ａ（以下、「訪問先ブース８２Ａ」という。）までの最短経路８３Ａが表示されたルート表示画面Ｇ４を表示画面１１Ｇに表示させる。なお、同図には、訪問先ブースとして、ブース８２Ａとは異なるブース８２Ｂ，８２Ｃが選択された場合の最短経路８２Ｂ、８２Ｃがそれぞれ２点鎖線で示されている。
【００４８】
ルート表示画面Ｇ４は、以下のようにして作成される。即ち、制御基板１５のメモリ１６には、図１６に示すブース位置ファイル４６が記憶されている。ブース位置ファイル４６は、ブース５１毎のレコード４６Ｚ（以下、「ブースレコード４６Ｚ」という）を複数備えてなり、図１６に示すように、各ブースレコード４６Ｚのフィールド（項目）には、各ブース５１に個別に設定した「ブースＮｏ」、ブース５１の出展者５４の「企業名」、出展者５４ごとに設定された「企業ＩＤ」、ブース５１の「緯度」及び「経度」等があり、これら複数のフィールドのデータを関連付けたデータ構造になっている。また、メモリ１６には、展示会会場５０の会場内地図データも記憶されている。
【００４９】
そして、訪問先検索画面Ｇ３で一の出展者５４が選択された状態でルート表示ボタン７８がオンされると、制御基板１５は、ブース一ファイル４６から、選択された出展者５４の「企業ＩＤ」を検索して訪問先ブース８２Ａを特定する。そして、現在地、即ち、この情報書込装置１０が設置されているブース８１（以下、「起点ブース８１」という）と訪問先ブース８２Ａの「緯度」及び「経度」から最短経路８３Ａを求め、会場内地図８０において起点ブース８１から訪問先ブース８２Ａまでの最短経路８３Ａが表示されたルート表示画面Ｇ４を作成するためのデータを作成する。
【００５０】
なお、本実施形態では、ブース５１の「緯度」及び「経度」が本発明の「位置データ」に相当し、メモリ１６が本発明の「位置データ記憶手段」に相当する。また、訪問先検索画面Ｇ３（図１５（Ａ）参照）を表示しているときのタブレット型端末１１が本発明の「ブース選択手段」に相当し、ルート表示画面Ｇ４（図１５（Ｂ）参照）を表示しているときのタブレット型端末１１が本発明の「最短経路表示手段」に相当する。
【００５１】
図１０（Ａ）に示したメインメニュー画面Ｇ１において、訪問履歴表示ボタン６５が選択されると、制御基板１５は、図１７（Ａ）に示す訪問履歴画面Ｇ５を表示画面１１Ｇに表示させる。この訪問履歴画面Ｇ５では、来場者５２がそれまでに訪れたブース５１の出展者５４（図１７（Ａ）では「企業名」）と、その訪問日時とが、訪問順に上から表示される。
【００５２】
図１０（Ａ）に示したメインメニュー画面Ｇ１において、問い合わせボタン６６が選択されると、制御基板１５は、来場者５２から出展者５４への質問内容を入力可能な問い合わせシート（図示せず）を表示画面１１Ｇに表示させる。問い合わせシートに入力された質問内容は、出展者側サーバ５４Ｓに送信される。
【００５３】
図１０（Ａ）に示したメインメニュー画面Ｇ１において、データ編集ボタン６７が選択されると、制御基板１５は、図１７（Ｂ）に示す編集データ選択画面Ｇ６を表示画面１１Ｇに表示させる。この編集データ選択画面Ｇ６では、例えば、ＩＣカード３０に書き込まれた（即ち、来場者５２が取得した）受取サイトＵＲＬに対応した製品資料毎に、その製品資料が対象とする製品名、その製品を扱っている出展者５４（図１７（Ｂ）では「企業名」）、受取サイトＵＲＬの取得日時等が表示される。そして、何れかの製品資料が選択されると、その製品資料に関するデータを削除する等の編集が可能となる。
【００５４】
さて、本実施形態の情報提供システム１００では、ＩＣカード３０に受取サイトＵＲＬが書き込まれると、来場者５２は、製品資料を出展者５４の受取サイトで受け取ることが可能となる。具体的には、図１及び図１３に示すように、来場者端末５２Ａが、ＩＣカードリーダ５２Ｂを介してＩＣカード３０に記録されている受取サイトＵＲＬを読み込み（図１３のＦ３４）、出展者５４の受取サイトへアクセスする（図１３のＦ３５）。出展者５４のサーバ５４Ｓ（以下、「出展者サーバ５４Ｓ」）は、受取サイトから来場者端末５２Ａに製品資料のデータをダウンロードさせる等して、来場者端末５２Ａに製品資料を提供する（図１３のＦ３６）。
【００５５】
このように、本実施形態の情報提供システム１００においては、ブース５１を訪れた来場者５２は、出展者５４の製品資料を希望する場合に、その意思表示としてＩＣカード３０を情報書込装置１０の磁界通信部２９（カード載置部２４）に宛がえばよい。すると、資料選択画面Ｇ２にて製品資料の選択が可能となり、そこで選択された製品資料を受け取るための受取サイトＵＲＬがＩＣカード３０に書き込まれる。そして、来場者５２は、受取サイトにアクセスすることで製品資料を受け取ることが可能となる。
【００５６】
ここで、図１２には、出展者５４を中心とした情報提供システム１００の動作の流れが示されている。同図に示すように、出展者５４のブース５１に設置した情報書込装置１０の磁界通信部２９（カード載置部２４、図２参照）に、複数の来場者５２（来場者Ｘ，Ｙ）のＩＣカード３０が宛がわれると、情報書込装置１０は、各来場者５２（来場者Ｘ，Ｙ）の名刺情報を取得し（Ｆ２１Ｘ、Ｆ２１Ｙ）、ＩＣカード３０に訪問履歴を書き込む（Ｆ２２Ｘ、Ｆ２２Ｙ）。また、来場者５２（来場者Ｘ，Ｙ）が製品資料を希望する場合には、情報書込装置１０は、製品資料の受取サイトＵＲＬをＩＣカード３０に書き込む（Ｆ２３Ｘ、Ｆ２３Ｙ）。
【００５７】
そして、展示会の終了後、各来場者５２（来場者Ｘ，Ｙ）の来場者端末５２ＡがＩＣカード３０から受取サイトＵＲＬを読み込んで（Ｆ２４Ｘ、Ｆ２４Ｙ）、その受取サイトにアクセスすると、出展者側サーバ５４Ｓが受取サイトから来場者端末５２Ａに製品資料を提供する。
【００５８】
このように、本実施形態の情報提供システム１００は、出展者５４から見ると、各来場者５２（来場者Ｘ，Ｙ）に受取サイトへアクセスさせ、その受取サイトで製品資料を提供するようになっているので、出展者５４が各来場者５２に対して製品資料を送付する手間を省くことができる。特に、来場者５２によって提供する製品資料が異なる場合には、その恩恵を多く受けることができる。
【００５９】
また、図１３には、来場者を中心とした情報提供システム１００の動作の流れが示されている。同図に示すように、複数の出展者５４（Ａ〜Ｃ社）のブース５１を訪れた来場者５２が、情報書込装置１０の磁界通信部２９（カード載置部２４）にＩＣカード３０を宛がうと、ＩＣカード３０に記録された名刺情報が各出展者５４の情報書込装置１０に読み取られ（Ｆ３１Ａ、Ｆ３１Ｂ、Ｆ３１Ｃ）、ＩＣカード３０に訪問履歴が書き込まれる（Ｆ３２Ａ、Ｆ３２Ｂ、Ｆ３２Ｃ）。また、来場者５２が製品資料を希望する場合には、その製品資料の受取サイトＵＲＬがＩＣカード３０に書き込まれる（Ｆ３３Ａ、Ｆ３３Ｂ）。
【００６０】
詳細には、ＩＣカード３０においては、情報書込装置１０から取得した製品資料に関するデータ（図１１における「製品資料Ｎｏ」、「企業名」、「企業ＩＤ」、「製品名」、「受取サイトＵＲＬ」等）が、図１４に示す取得資料ファイル４２に記録される。取得資料ファイル４２は、取得した製品資料毎のレコード４２Ｚ（以下、「取得資料レコード４２Ｚ」という）を複数備えてなり、各取得資料レコード４２Ｚのフィールド（項目）には、上述の製品資料に関するデータ（「製品資料Ｎｏ」、「企業名」、「企業ＩＤ」、「製品名」、「受取サイトＵＲＬ」等）に加え、受取サイトＵＲＬの「取得日時」があり、これら複数のフィールドのデータを関連付けたデータ構造になっている。
【００６１】
図１３に示すように、展示会の終了後、来場者５２が来場者端末５２Ａを用いてＩＣカード３０から各出展者５４の受取サイトＵＲＬを読み込み（Ｆ３４）、各受取サイトにアクセスすると（Ｆ３５）、各受取サイトにおいて出展者側サーバ５４Ｓから来場者端末５２Ａに製品資料が提供される（Ｆ３６）。
【００６２】
このように、本実施形態の情報提供システム１００は、来場者５２から見ると、１枚のＩＣカード３０を用いて出展者５４から製品資料を受け取る権利を収集するようになっていて、ＩＣカード３０を用いた「情報収集システム」ということができる。この情報提供システム１００によれば、来場者５２は、複数の製品資料を希望する場合であっても、ＩＣカード３０のみを持ち運べばよいので、ブース５１で紙に印刷された重い製品資料を受け取って持ち運ぶ場合と比較して、労力を省くことができる。また、来場者５２は、受取サイトへアクセスすれば製品資料を受け取ることができるので、従来のように、出展者５４によって製品資料が発送される場合と比較して、製品資料を受け取るタイミングが出展者５４の都合に左右され難くなる。
【００６３】
ここで、例えば、主催者５３が開設する展示会サイトで製品資料の受け取りが行われても、本実施形態と同様の効果を奏することは可能である。しかしながら、この場合、複数の出展者５４からの製品資料の提供を全て主催者側サーバ５３Ｓが行うことになるため、主催者側サーバ５３Ｓにかかる負担が大きくなる。これに対し、本実施形態の情報提供システム１００では、製品資料の受け取りが各出展者５４の受取サイトで行われるので、製品資料の提供は、各出展者側サーバ５４Ｓで行えばよくなり、上述の例で主催者側サーバ５３Ｓにかかる負担を複数の出展者側サーバ５４Ｓに分散させることができる。
【００６４】
情報書込装置１０及び情報提供システム１００の構成に関する説明は以上である。次に、本実施形態に係る情報書込装置１０、情報提供システム１００及び情報書込装置１０を用いた情報提供方法の作用効果について説明する。
【００６５】
本実施形態によれば、ブース５１を訪れた来場者５２は、ブース５１の出展者５４が提供する製品資料を希望する場合に、そのブース５１に設置された情報書込装置１０の磁界通信部２９にＩＣカード３０を宛がえばよい。すると、そのＩＣカード３０に製品資料を受け取るための受取サイトＵＲＬが書き込まれ、来場者５２は、その受取サイトにアクセスすることで製品資料の受け取りが可能となる。このように、本実施形態によれば、出展者５４が各来場者５２に製品資料を送付する手間を省くことが可能となる。また、来場者５２にとっては、ＩＣカード３０に書き込まれたＵＲＬのサイトにアクセスすることで製品資料を受け取ることができるので、製品資料を受け取るタイミングが出展者５４の都合に左右され難くなる。即ち、本実施形態によれば、出展者５４と来場者５２の両方にとって、利便性の向上が図られる。しかも、来場者５２にとっては、１枚のＩＣカード３０のみ持ち運べばよいので、製品資料をブース５１で受け取って持ち運ぶ場合と比較して、労力を省くことができる。さらに、印刷物としての資源の節約が図られ、また、資料使用後の処分における労力削減も図られる。
【００６６】
また、本実施形態の情報提供システム１００及び情報提供方法では、情報書込装置１０が、ＩＣカード３０から来場者５２の名刺情報を読み取って出展者５４の訪問者データベース５４Ｄに登録するので、出展者５４にとって、ブース５１を訪れた来場者５２の集計や分析が容易となる。さらに、本実施形態では、主催者５３のサーバ５３Ｓと受取用端末５５とが、ＩＣカード３０に来場者５２の名刺情報を記録する際に、その名刺情報を来場者データベース５３Ｄに登録するので、主催者５３にとっても来場者５２の集計や分析が容易となる。
【００６７】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００６８】
（１）訪問者データベース５４Ｄは、タブレット型端末１１の制御基板１５のメモリ１６に設けられてもよい。この場合、ＩＣカード３０が情報書込装置１０の磁界通信部２９（カード載置部２４）に宛がわれたときに、来場者５２の名刺情報（「来場者ＩＤ」、「氏名」、「連絡先（メールアドレス）」、「会社名」及び「部署名」等）がメモリ１６内の訪問者ファイルに記録される。
【００６９】
（２）上記実施形態では、来場者５２が展示会への参加登録を事前に行っていたが、展示会当日に展示会会場５０で行ってもよい。この場合には、受付用端末５５に来場者５２の名刺情報が入力されたときに、受付用端末５５が、ＩＣカード３０に来場者５２の名刺情報を記録する。即ち、この場合には、二次元コードは不要である。また、受付用端末５５は、通信ネットワーク９０（図１参照）を介して主催者側サーバ５３Ｓに名刺情報を送信し、主催者側サーバ５３Ｓは、参加登録が事前に行われた場合と同様にして、受付用端末５５から受信した名刺情報を来場者データベース５３Ｄに登録する。なお、本構成においては、受付用端末５５が本発明の「主催者の端末」に相当する。
【００７０】
（３）上記実施形態の情報書込装置１０は、展示会会場５０の全ブース５１に設置されてもよいし、一部複数のブース５１に設置されてもよい。
【００７１】
（４）上記実施形態では、来場者５２が展示会会場５０を退場した後に、来場者端末５２Ａから受取サイトにアクセスする例が示されていたが、来場者端末５２Ａが携帯端末である場合には、来場者５２は、展示会会場５０内で受取サイトにアクセスしてもよい。
【００７２】
（５）上記実施形態では、情報書込装置１０が、タブレット型端末１１と端末載置盤２０とで構成されていたが、パソコンに外付けのＩＣカードリーダライタを組み合わせて構成されてもよい。なお、パソコンは、デスクトップであってもよいし、ラップトップであってもよい。
【００７３】
（６）上記実施形態では、情報書込装置１０が書き込むＵＲＬが、出展者５４の受取サイトのアドレスであったが、その受取サイトで提供される製品資料のページのアドレスであってもよい。この構成によれば、来場者５２は、ＵＲＬにアクセスするだけで、製品資料の受け取りが可能となる。
【符号の説明】
【００７４】
１０    情報書込装置
１１    タブレット型端末
１２    リーダライタ
１５    制御基板
２９    磁界通信部
３０    ＩＣカード
５１    ブース
５２    来場者
５３Ｄ    来場者データベース
５３Ｓ    来場者のサーバ
５４Ｄ    訪問者データベース
５４Ｓ    出展者のサーバ
５５    受付用端末
１００    情報提供システム
【図１】
2015138502.tif 000003
【図２】
2015138502.tif 000004
【図３】
2015138502.tif 000005
【図４】
2015138502.tif 000006
【図５】
2015138502.tif 000007
【図６】
2015138502.tif 000008
【図７】
2015138502.tif 000009
【図８】
2015138502.tif 000010
【図９】
2015138502.tif 000011
【図１０】
2015138502.tif 000012
【図１１】
2015138502.tif 000013
【図１２】
2015138502.tif 000014
【図１３】
2015138502.tif 000015
【図１４】
2015138502.tif 000016
【図１５】
2015138502.tif 000017
【図１６】
2015138502.tif 000018
【図１７】
2015138502.tif 000019